(57)【要約】【課題】先端側に磁石を有して本体から出没可能に設けた可動体をコイルバネで本体内に引き込む構成の引戸のマグネットキャッチャーについて、引戸開動作による磁石の吸着解除に伴って発生する衝撃音を軽減する。【解決手段】先端側に磁石１１０を有する可動体１１がキャッチャー本体１０Ａに設けた摺動孔１２ａの開口端１２ｆから先端側を出没可能に挿設され没入方向にコイルバネ１１ｄで付勢され、閉鎖状態から引戸３を開くことにより可動体１１が開口端１２ｆから所定量引き出された後、吸着が解除されることで可動体１１がキャッチャー本体１０Ａ内に引き込まれるマグネットキャッチャー１Ａにおいて、摺動孔１２ａ基端側に弾性素材または軟質素材からなる緩衝部材１４を設け、緩衝部材１４が可動体１１の引き込み動作の最終部分で可動体１１の基端面ｘに当接して可動体衝突による衝撃を緩衝する。【選択図】図１
2008175026.tif 000002
【特許請求の範囲】
【請求項１】
引戸と枠体とが当接する一方の当接面に設けられるキャッチャー本体と、もう一方の当接面に設けられ前記キャッチャー本体が備える磁石が吸着する被吸着体を有するキャッチャー受体とを備えており、先端側に前記磁石を有する可動体が、前記キャッチャー本体に設けた摺動孔の開口端から先端側を出没可能に挿設されているとともに没入方向にコイルバネで付勢されており、前記磁石と前記被吸着体とが吸着した引戸閉鎖状態から前記引戸を開くことにより、前記可動体が前記コイルバネの弾性反発力に抗して前記開口端から所定量引き出された後、前記磁石による吸着が解除されることにより前記可動体が先端面を前記開口端と略面一にして前記キャッチャー本体内に引き込まれる引戸のマグネットキャッチャーにおいて、前記摺動孔の基端側に弾性素材または軟質素材からなる緩衝部材が設けられ、該緩衝部材が前記可動体引き込み動作の最終部分で前記可動体基端面に当接して可動体衝突による衝撃を緩衝することを特徴とする引戸のマグネットキャッチャー。
【請求項２】
前記緩衝部材が、前記キャッチャー本体基端側の摺動孔開口部を閉鎖する蓋部材の内側面から突設されている請求項１に記載した引戸のマグネットキャッチャー。
【請求項３】
前記蓋部材が弾性樹脂素材からなる請求項２に記載した引戸のマグネットキャッチャー。
【請求項４】
前記緩衝部材が、樹脂素材により形成された先端側面から軸方向に均一の高さで突設された複数の凸部を有し、総ての前記凸部の先端部分で前記可動体基端面に当接する請求項１，２または３に記載した引戸のマグネットキャッチャー。
【請求項５】
前記緩衝部材が、円柱状に形成され円形の先端面の中心に中心を一致させて環状且つ等間隔に前記凸部が連設されている請求項４に記載した引戸のマグネットキャッチャー。
【請求項６】
前記樹脂素材がシリコンゴムである請求項４に記載した引戸のマグネットキャッチャー。
【請求項７】
前記被吸着体が磁石であり、異なる極性を示す前記磁石の部分同士で吸着する請求項１，２，３，４，５または６に記載した引戸のマグネットキャッチャー。
【発明の詳細な説明】
【技術分野】
【０００１】
本発明は、引戸を閉める際に枠体や柱に当接した引戸が跳ね返ったり不用意に開いたりしないように、磁力で引戸を枠体や柱に吸着させるマグネットキャッチャーに関する。
【背景技術】
【０００２】
引戸を閉止時に枠体や柱に密着させるための技術は、例えば特開平９−２９１７５１号公報に記載されているように周知であり、磁石とこの磁石が吸着する磁性体からなる被吸着体とを一対にして構成したマグネットキャッチャーが、建具や物置等の分野において汎用されている。
【０００３】
しかし、これら従来の引戸のマグネットキャッチャーは、枠体が歪んだり変形したりして引戸と枠体との当接面に隙間ができるような建て付けにおいては、閉めた引戸の跳ね返りに磁石の吸着力が負けて完全に閉まらないことがある。また、枠体側に歪みがなく引戸が枠体にぴったりと吸着している場合は、引戸の閉まりが固く閉鎖状態を良好に維持するものの、これを開く際には磁石の吸着力を振り切る強い初動力が必要となる。そのため、力の弱い子供やお年寄りには操作の負担が大きいことに加え、強く引き過ぎて余勢で引戸を余分に走行させてしまう不都合もあって、使い勝手の悪いものとなっていた。
【０００４】
この問題に対し、本願出願人は図６に示すような引戸のマグネットキャッチャーを特開２０００−２４８８１１号公報において提案した。このマグネットキャッチャー１Ｂは、引戸３に設けたキャッチャー本体１０Ｂのケース１２Ｂ内に、先端側に磁石１１０を有する略円柱状の可動体１１を設けたものであり、互いに吸着されている磁石１１０とキャッチャー受体２０に設けた被吸着体２１とが、引戸３の閉鎖状態から引戸３を開いた場合に（図６（Ａ））、互いに離脱して可動体１１がコイルバネ１１ｄの弾性反発力でケース１２Ｂの開口端１２ｆと磁石１１０を設けた先端面とを面一にしてケース１２Ｂ内に引き込まれ（図６（Ｂ））、収装されるようにしたものである。
【０００５】
このような構成とすることにより、引戸３と枠体２との間に隙間が出来る建て付けの場合であっても、可動体１１がキャッチャー本体１０Ｂから引き出されて引戸の係着を維持し、引戸３を開く際には、キャッチャー本体１０Ｂから可動体１１がさらに引き出されることで初動に慣性が伴い、磁石１１０の吸着を容易に振り切れるものとなった。
【０００６】
ところで、このマグネットキャッチャー１Ｂを含め、本体ケースから出没可能に設けた可動体をコイルバネで本体内に引き込む構成を有するものは、使用状態によっては、磁石１１０の吸着を振り切った瞬間に、図６（Ｂ）に示すようにコイルバネ１１ｄの弾性反発力で可動体１１の頭部１１ｂの基端側面ｙが、ケース１２Ｂの隔壁１２ｄ先端側面ｚに衝突して衝撃音を発生させる。そのため、付近の人に不快感を与えたり安眠を妨害したりするという問題が生じていた。
【特許文献１】特開平９−２９１７５１号公報
【特許文献２】特開２０００−２４８８１１号公報
【発明の開示】
【発明が解決しようとする課題】
【０００７】
本発明は、上記のような問題点を解決しようとするものであり、先端側に磁石を有して本体から出没可能に設けた可動体をコイルバネで本体内に引き込む構成のマグネットキャッチャーについて、引戸開動作による磁石の吸着解除に伴って発生する衝撃音を軽減することを課題とする。
【課題を解決するための手段】
【０００８】
そこで、本発明は、引戸と枠体とが当接する一方の当接面に設けられるキャッチャー本体と、もう一方の当接面に設けられている前記キャッチャー本体に備えた磁石が吸着する被吸着体を有するキャッチャー受体とを備えており、先端側に磁石を有する可動体が、キャッチャー本体に設けた摺動孔の開口端から先端側を出没可能に挿設されているとともに没入方向にコイルバネで付勢されており、この磁石と被吸着体とが吸着した引戸閉鎖状態から引戸を開くことにより、可動体がコイルバネの弾性反発力に抗して開口端から所定量引き出された後、磁石による吸着が解除されることにより可動体が先端面を開口端と略面一にしてキャッチャー本体内に引き込まれる引戸のマグネットキャッチャーにおいて、摺動孔基端側に弾性素材または軟質素材からなる緩衝部材を設け、この緩衝部材が可動体引き込み動作の最終部分で可動体の基端面に当接して可動体衝突による衝撃を緩衝することを特徴とするものとした。
【０００９】
このように、可動体の引き込み動作終了直前でその基端面に当接する緩衝部材を摺動孔内に設けるだけの簡易な構成により、引戸開動作時の磁石の吸着解除に伴う衝撃を簡易に緩衝することが可能となり、そのときの衝撃音を有効に軽減できるものとなる。尚、これに加えて可動体の基端面にはコイルバネの基端側を固定するストッパ部材が軸線方向に螺入されたネジで固定されているのが通常であるが、例えばネジ頭部が緩衝部材に毎回当接すること等により締結してあったネジが緩んだ際に緩みの拡大を抑えて、部品の分解防止に役だっている。
【００１０】
また、この緩衝部材をキャッチャー本体基端側の摺動孔開口部を閉鎖する蓋部材の内側面から突設されたものとすれば、緩衝部材を一体に有した蓋部材を装着するだけで必要位置に緩衝部材が装着されるものとなって、緩衝部材の追加により過大な工程の増加を伴わないものとなる。この場合、この蓋部材を弾性樹脂素材からなるものとすれば、可動体の衝突時に弾性変形して緩衝部材の緩衝力を増大させることができるとともに、ケース外部に漏れる衝撃音を吸収してこれを最小限とすることができる。
【００１１】
更に、上述したマグネットキャッチャーにおいて、その緩衝部材を、樹脂素材により形成するとともに、その先端側面に軸方向に均一の高さを有する複数の凸部を先端側面において互いに均一な間隔で突設する場合には、それらの総ての凸部の先端部分が一体的に可動体基端面に当接することになり、更に衝撃音の発生しにくいものとなる。この場合、緩衝部材を円柱状にしてその円形の先端面の中心に中心を一致させて環状且つ等間隔に凸部を連設したものとすればさらに衝撃吸収に優れたものとなり、その樹脂素材をシリコンゴムとすれば、素材の粘弾性により一層衝撃吸収に優れたものとなる。
【００１２】
更にまた、上述したマグネットキャッチャーにおいて、その被吸着体を磁石として異なる極性を示す磁石の部分同士で吸着するものとすれば、より吸着力の強いものとすることができる。
【発明の効果】
【００１３】
可動体の引き込み動作最終部分で可動体基端面に当接して衝撃を緩衝する緩衝部材を設けた本発明によると、引戸開動作による磁石の吸着解除に伴う衝撃音を、有効に軽減することができるものである。
【発明を実施するための最良の形態】
【００１４】
以下に、図面を参照しながら本発明を実施するための最良の形態を説明する。
【００１５】
図１乃至図４は、本実施の形態の引戸のマグネットキャッチャー１Ａを示している。マグネットキャッチャー１Ａの取付け状態を示す図４を参照して、マグネットキャッチャー１Ａは、枠体２と、枠体２下側のレール３４上を走行する引戸３との各当接面３５，３６に対向して設置されるものであり、本実施の形態にあっては、引戸３側の当接面３６にキャッチャー本体１０Ａが埋設され、枠体２側の当接面３５にキャッチャー受体２０が埋設されている。
【００１６】
マグネットキャッチャー１Ａの拡大した縦断面図を示す図１を参照して、そのキャッチャー本体１０は、軸方向に摺動孔１２ａが貫通しその内周壁に隔壁１２ｄとストッパ段部１２ｅとを有する合成樹脂製で円筒状のケース１２Ａと、ケース１２Ａの基端側開口部を閉鎖する蓋部材１３と、ケース１２Ａ内でコイルバネ１１ｄにより引き込まれケース１２Ａの先端側開口端１２ｆから先端側を出没可能に収容された略円柱状の可動体１１とからなる。
【００１７】
可動体１１は、軸部１１ａとその先端側でこれよりも大径とされた頭部１１ｂとからなり、その軸部１１ａが隔壁１２ｄ中心の軸受部１２２を摺動自在に貫通している。可動体１１の頭部１１ｂは、その先端側に円盤状の磁石１１０を面一に埋設されており、合成樹脂製で薄肉の磁石カバー１１１により中央部を除く先端面と側面とが被覆されている。また、軸部１１ａ基端側には、皿状のストッパキャップ１１ｃがネジ３２で固着されている。
【００１８】
軸部１１ａ周りのコイルバネ１１ｄは、その一端がストッパキャップ１１先端側面に当接するとともにもう一端を隔壁１２ｄの基端側面に弾性的に当接して、可動体１１をケース１２Ａ内に引き込む方向に弾性力を維持して装着されている。可動体１１は摺動孔１２ａ内で軸方向に摺動可能に挿設されており、コイルバネ１１ｄでケース１２Ａ内に引き込まれた状態において、その先端面、即ち、磁石カバー１１１の先端面がケース１２Ａ先端側の開口端１２ｆと面一になるようになっている。
【００１９】
一方、キャッチャー受体２０は、例えば鉄などの磁性体からなる円盤状で中心軸線を貫通する一本のネジ３１で固着される被吸着体２１と、その表面を覆って貼着される衝撃を吸収するためのゴム等の弾性樹脂素材により形成される円盤状の受板２２とから構成される。
【００２０】
キャッチャー本体１０Ａは、図２（Ａ）の正面図に示すように、これを構成するケース１２Ａが樹脂製の円筒状部材の外周面に螺旋状に突設したネジ山１２ｂを有しており、取付け孔３ａ（図１参照）内に螺入するだけでしっかりと引戸３に固定されるようになっている。また、図２（Ｂ）の左側面図に示すように、その摺動孔１２ａの開口端１２ｆ側に係合用凹部１２ｃ，１２ｃ，１２ｃ，１２ｃが等間隔で環状に設けられており、これらに図５に示すような取付け金具５０の爪５２，５２を係合させて回転させることにより、取付け孔３ａへの着脱が比較的容易に行えるようになっている。
【００２１】
以上の構成部分は、図６の従来の引戸のマグネットキャッチャー１Ｂとほぼ共通しているが、以下に説明する構成部分が本発明の特徴部分となっている。即ち、図１に示すように、ケース１２Ａを貫通する摺動孔１２ａの基端側開口部を閉鎖する蓋部材１３の内側面から緩衝部材１４が突設されており、可動体１１がその先端面をケース１２Ａ先端面と面一に引き込まれた時点でそのストッパキャップ１１ｃ基端面ｘに当接するようになっており、引戸３の開動作で磁石１１０と被吸着体２２との係着が解除されたとき、コイルバネ１１ｄによる可動体１１の戻り動作による衝撃音を緩衝するようにした点を特徴としている。
【００２２】
この緩衝部材１４は、弾性樹脂素材または軟質樹脂素材を略円盤状に形成したものを用いるが、シリコンゴムのような柔軟性に富む素材が衝撃吸収および衝撃音防止の観点で優れている。そして、この緩衝部材１４は、その基盤部１４ａの円形の先端側面の中心に中心を一致させてイボ状の凸部１４ｂが環状且つ等間隔に複数（本実施の形態では８個）突設されて各凸部１４ｂの先端側でストッパキャップ１１ｃ基端面ｘに点接触するようになっている。
【００２３】
また、凸部１４ｂを設けた面の反対側面からはキノコ状の係合部１４ｃが突設され、蓋部材１３の中心を貫通した装着孔１３ａに嵌入・係合されてその大径部分を突出した状態で一体に固着されており（図１，図２（Ｃ）参照）、この緩衝部材１４を設けた状態で蓋部材１３をケース１２Ａの基端側に装着することで、緩衝部材１４が摺動孔１２ａ内で必要とされる位置に固定されるものとなっている。
【００２４】
次に、本実施の形態である引戸のマグネットキャッチャー１Ａの作用について、図３を用いながら詳細に説明する。
【００２５】
引戸３に埋設したキャッチャー本体１０Ａを、引戸３の閉動作により枠体２に埋設したキャッチャー受体２０に接近させる（図３（Ａ））と、キャッチャー受体２０の受板２２とキャッチャー本体１０Ａの磁石１１０との間隔が所定距離以内になった時点で、キャッチャー受体２０の被吸着体２２とキャッチャー本体１０Ａの磁石１１０との磁気吸着力がコイルバネの弾性反発力に勝り可動体１１をケース１２Ａ外に引き出して吸着する（図３（Ｂ））。
【００２６】
これにより、例えば枠体２の建て付けが悪く引戸３の閉鎖時に枠体２との間に隙間が生じていても、可動体１１の突出距離以内であれば引戸３を閉鎖状態で維持することができ、或いは、引戸３が荒閉めされても枠体２から跳ね返って開いたままになることを回避することができる。尚、可動体１１の頭部１１ｂ先端面は中心部を除いて磁石カバー１１１で覆われており、磁石１１０先端面の端縁付近に所定厚さで樹脂製の磁石カバー１１１が存在することで、比較的固い磁石１１０とキャッチャー受体２０表面に突出した固着のためのネジの頭部とが直接衝突しないようになっており、引戸３の閉動作により吸着する際の衝撃音を最小限に抑えている。
【００２７】
そして、引戸３の開動作では、可動体１１のストッパキャップ１１ｃが摺動孔１２ａのストッパ段部１２ｅに当接する迄の間、可動体１１はコイルバネ１１ｄを圧縮しながら引き出されるため、閉鎖時に引戸３が枠体２にぴったり当接して磁着していても引戸３の走行の初動時に慣性が伴うため、磁石１１０の吸着を容易に振り切って解放することができる（図３（Ｃ））。
【００２８】
このとき、図６の従来例において可動体１１の頭部１１ｂ基端側面ｙが隔壁１２ｄの先端側面ｚに衝突して衝撃音を発生していたのに対し、本実施の形態では、可動体１１のストッパキャップ１１ｃ基端面ｘが緩衝部材１４に当接して衝撃が緩衝されるとともに、頭部１１ｂの基端側面ｙは隔壁１２ｄの先端側面ｚに衝突しない。
【００２９】
これにより、引戸開動作時の磁石１１０の吸着の解放に伴う衝撃を吸収して衝撃音を大幅に減少させることを可能としたものである。また、この緩衝部材１４の先端側面に環状に複数設けたイボ状の凸部１４ｂの各先端で点接触することで、より高い緩衝作用を発揮しており、衝撃音の発生しにくいものとしている。さらに、緩衝部材１４を支持する円盤状の蓋部材１３が例えば適宜硬質のポリアミド系樹脂などで形成されている場合には、可動体１１の衝突時に軸方向に撓んで衝撃吸収力を増強しているとともに、耐久性に優れ、衝撃音の外部への拡散を最小限としている。
【００３０】
尚、このように、内側面に緩衝部材１４を有する蓋部材１３でケース１２Ａの基端側を閉鎖したことにより、可動体１１の基端側でストッパキャップ１１ｃを固定するネジ３２が多少緩んでも毎回ネジ頭部側に緩衝部材１４が当接してそれ以上緩まないものとすることができ、可動体１１の基端側を構成する部品がバラバラに分解するトラブルを回避できる利点もある。
【００３１】
また、本実施の形態においては、引戸３側にキャッチャー本体１０Ａを設け、枠体２側にキャッチャー受体２０を設けたが、これらを逆に設けても上記同様の効果を期待できるものである。更に、本実施の形態では、キャッチャー受体２０の被吸着体２１を鉄等の磁性体として可動体１１に磁石１１０を備えてこれらが互いに吸着する構成としたが、キャッチャー受体２０の被吸着体２１を磁石として可動体１１の磁石の代わりに磁性体を用いてもよく、また、互いに対向する極を異なる磁性とすればキャッチャー受体２０の被吸着体２１および可動体１１にそれぞれ磁石１１０を用いてもよい。
【００３２】
以上、述べたように、先端側に磁石を有して本体から突出した可動体をコイルバネで本体内に引き込む構成のマグネットキャッチャーについて、比較的簡易な構成の本発明により、引戸開動作時における磁石の吸着解除に伴う衝撃音を、過大なコストアップを伴うことなく有効に軽減できるようになった。
【図面の簡単な説明】
【００３３】
【図１】本発明の実施の形態を示す縦断面図。
【図２】（Ａ）は図１のマグネットキャッチャーの可動体を引き込んだ状態のキャッチャー本体を示す正面図、（Ｂ）は（Ａ）の左側面図、（Ｃ）は（Ａ）の右側面図。
【図３】（Ａ），（Ｂ），（Ｃ）は図１のマグネットキャッチャーの作用を説明するための縦断面図。
【図４】図１のマグネットキャッチャーの取付け状態を示す正面図。
【図５】図１のマグネットキャッチャーを引戸側に取り付けるための取付け金具。
【図６】（Ａ），（Ｂ）は従来例の作用を説明するために縦断面図。
【符号の説明】
【００３４】
１Ａ  マグネットキャッチャー、２  枠体、３  引戸、３ａ  取付け孔、１０Ａ  キャッチャー本体、１１  可動体、１１ａ  軸部、１１ｂ  頭部、１１ｃ  ストッパキャップ、１１ｄ  コイルバネ、１２Ａ  ケース、１２ａ  摺動孔、１２ｂ  ネジ山、１２ｃ  係合用凹部、１２ｄ  隔壁、１２ｆ  開口端、１３  栓体、１３ａ  装着孔、１４  緩衝部材、１４ａ  基盤部、１４ｂ  凸部、１４ｃ  係合部、２０  キャッチャー受体、２１  被吸着体、２２  受板、３１，３２  ネジ、３５，３６  当接面、３４  レール、１１０  磁石、５０  取付け金具、５２  爪、１１１  磁石カバー、１２２  軸受け部
【図１】
2008175026.tif 000003
【図２】
2008175026.tif 000004
【図３】
2008175026.tif 000005
【図４】
2008175026.tif 000006
【図５】
2008175026.tif 000007
【図６】
2008175026.tif 000008